(57)【要約】【課題】設置作業および設置後の保守作業の効率および信頼性を向上させる、光加入者線終端装置を提供すること。【解決手段】光加入者線終端装置は、光加入者端末用の回路を内部に実装した装置本体１と、光ファイバー４を収納する光ファイバー収納部２と、光ファイバー収納部２を覆う本体カバー３とを有する。光ファイバー収納部２は、装置本体１の上面に着脱可能に設置される。【選択図】  図３
2004333835.tif 000002
【特許請求の範囲】
【請求項１】
光加入者端末用の回路を内部に実装してなる装置本体と、
前記装置本体の上面に着脱可能に設置され光ファイバーを収納する光ファ  イバー収納部と、
前記光ファイバー収納部を覆う本体カバーとを有することを特徴とする光加入者線終端装置。
【請求項２】
前記光ファイバー収納部を前記装置本体に着脱可能に固定するための係合構造を有する、請求項１記載の光加入者線終端装置。
【請求項３】
前記係合構造は、前記光ファイバー収納部を前記装置本体の上面に対してスライドすることにより着脱可能となるよう構成される、請求項２記載の光加入者終端装置
【請求項４】
前記係合構造は、光ファイバー収納部に設けられた爪と、前記装置本体の上面に設けられた突起とからなり、前記爪を前記装置本体の上面と前記突起との間に形成される隙間に挿入することで形成される、請求項３記載の光加入者線終端装置。
【請求項５】
前記本体カバーを前記装置本体に着脱可能に固定するための係合構造を有する、請求項１ないし４のいずれか１項に記載の光加入者線終端装置。
【発明の詳細な説明】
【０００１】
【発明の属する技術分野】
本発明は、光通信局と加入者側光通信機器との間で光通信を行うための光加入者線終端装置に関する。
【０００２】
【従来の技術】
従来の光加入者線終端装置として、たとえば図８に記載のものが知られている。本装置は装置本体１０１にメイン基板、イーサーカード等（図示せず）を収納し、その上面に光通信局から敷設される光ファイバー収納スペース１０２を設ける構成としている。
【０００３】
装置本体１０１に光ファイバー収納スペース１０２を設ける理由は以下の通りである。すなわち、まず、据付上ないし使用上の便宜のため、光ファイバー１０４にはある程度の光ファイバー余長部１０５を持たせることが望ましい。特に、光ファイバー１０４は従来の銅線芯線のケーブルなどと異なり、接続に高度の技術を要するため、その都度光ファイバー１０４を切断したり、長さの調整を行うことは、光ファイバー１０４の信頼性や作業効率の観点から好ましくなく、適切な光ファイバー余長部１０５を確保しつつ、接続自体は光コネクター（図示せず）により簡易に行える構成とするのが望ましい。一方、光加入者線終端装置は壁掛け、机上設置のいずれの形態でも使用されるが、机上設置の場合には、光ファイバー余長部１０５は床下空間の利用等により比較的容易に処理できる。これに対し、壁掛け設置の場合には、光ファイバー余長部１０５を処理するスペースが装置周辺に確保できない場合が多い。このため、光加入者線終端装置の内部に光ファイバー余長部１０５を収納する光ファイバー余長処理スペース１０２を確保することが必要となる。
【０００４】
また、図８記載の従来技術の光加入者線終端装置は、後述するように保守メンテナンス上の問題があったため、装置を保守の対象となる部分と、それ以外の部分とに分離可能な構成とすることも考えられている。例えば、図９に示すように、特許文献１には、光加入者線終端機器を収納した装置本体２０１と、光加入者線終端機器および光通信局側の間を接続する光ファイバーの余長部（図示せず）を収納する光ファイバー収納スペース２０２と、カバー２０３、２０４とを有して構成し、装置本体２０１の底板部の外側面に光ファイバー収容スペース２０２を取外し可能に装着し、光ファイバー収納スペース２０２に壁掛け用の構造を設けてなる光加入者線終端装置が開示されている。本構成によれば、光加入者線終端装置設置時に光ファイバー収納スペース２０２を先行設置することで、装置本体２０１の設置前に単独で光ファイバー配線および余長処理が可能となる。
【０００５】
【特許文献１】
特開２００２−２５８０６２号公報
【０００６】
【発明が解決しようとする課題】
光加入者線終端装置設置時や保守時における作業は、光ファイバーが中心である。すなわち、光加入者線終端装置設置時には光ファイバーの配線と余長処理が必要であり、設置後の保守や本体交換時には光ファイバーの光加入者線終端装置からの撤去と再配線が必要である。場合によっては煩雑な光ファイバー余長の再処理が発生することもある。しかし、図８に示す従来例に見られたように、光ファイバー収納スペース１０２を装置本体１０１と一体構造にすると、以下のように、保守メンテナンス上の問題が生じることとなる。すなわち、装置本体１０１がすでに壁等に固定されていると、設置場所によっては作業者は無理な姿勢を強いられ、作業時間が延び、作業効率が低下するおそれがある。また、作業時に、装置本体１０１の内部にドライバーなどの工具が誤って侵入する可能性があり、これにより機能部短絡障害が発生し、装置機能が停止する障害が併発されるなど、２次障害の可能性もある。このように、図８に示す従来技術の光加入者線終端装置は作業効率上、信頼性上、改善すべき余地が多かった。
【０００７】
一方、図９に示すように、装置本体２０１と光ファイバー収納スペース２０２とを分離可能な構造に構成した従来技術の光加入者線終端装置にあっても、以下の問題が存する。すなわち、本従来技術では、光加入者線終端装置設置時に光ファイバーを先行して配線できるようにすることを重視した結果、光ファイバーが装置本体２０１裏側に収納されている。このため、光加入者線終端機器を壁掛け設置する場合には、光ファイバー収納スペース２０２が壁掛けされた状態となり、光加入者線終端装置設置時の作業効率の改善は期待できない。また、設置後の保守点検や光加入者線終端装置交換時には、装置本体２０１をいったん取外し、その後に光ファイバーの保守点検や交換を行う必要があり、作業が煩雑であった。
【０００８】
以上のように、従来の技術では、装置本体と、光ファイバーの余長処理スペースを一体化していたため、光ファイバーの配線作業が煩雑になり作業効率の悪化を招来するのみならず、作業時の機能部短絡障害発生という作業信頼性低下の可能性をも生じていた。このために、装置本体と光ファイバーの余長処理スペースを分離する技術も開示されているが、設置後の保守作業は依然として煩雑であり、根本的な改善には至っていない。
【０００９】
そこで、本発明では、設置作業および設置後の保守作業の効率および信頼性を向上させる、光加入者線終端装置を提供することを目的としている。
【００１０】
【課題を解決するための手段】
上記目的を達成するために本発明は、光加入者端末の各種回路を組合せ構成しこれを内部に実装してなる装置本体と、前記装置本体の上面に着脱可能に設置され光ファイバーを収納する光ファイバー収納部と、前記光ファイバー収納部を覆う本体カバーとを有することを特徴とするものである。
【００１１】
本発明によれば、装置本体とファイバー収納部が着脱可能に設置されているため、光ファイバー収納部を装置本体から外した状態で光ファイバーの配線や余長処理が可能となる。さらに光ファイバー収納部が装置本体の上面に設置されていることから、装置据付後の保守時にも装置本体を取外すことなく、保守作業の主たる対象である光ファイバーの保守が可能となる。その結果、据付や保守作業が容易になり、作業効率が改善できるとともに、作業時にドライバーなどの工具が侵入する危険性が大幅に低減し、作業信頼性が向上する。
【００１２】
また、本発明は、光ファイバー収納部を装置本体に着脱可能に固定するための係合構造を有する構成であってもよい。これにより、光ファイバー収納部を装置本体から分離する際、ねじ等の部品が不要であり、ワンタッチで取り付け、取り外しが可能であり、作業効率が向上する。脱着の際にドライバー等の工具を使用しないため、短絡事故などの２次障害の危険性も減少し、作業信頼性の向上にもつながる。
【００１３】
また、本発明は、係合構造が光ファイバー収納部を装置本体に対して水平にスライドすることにより着脱可能となる構成であってもよい。これにより、光ファイバー収納部を装置本体から分離する際、ねじ等の部品が不要であるだけでなく、係合構造に不要な力を加える必要がなく、係合構造への負担が減り、長期使用後に係合構造の不具合が生じる可能性を低減することができ、装置自体の信頼性、超寿命化にも役立つ。
【００１４】
また、本発明は、係合構造が光ファイバー収納部に設けられた爪と装置本体の上面に設けられた突起とからなり、爪を装置本体の上面と突起との間に形成される隙間に挿入することで形成されることを特徴とするものであってもよい。これにより、光ファイバー収納部を装置本体に対しスライドさせるだけで、光ファイバー収納部と装置本体を突起と隙間の間に生じる摩擦力により両者を確実に固定することができ、また、同様にスライドさせることで容易に取り外しが可能となり、光加入者線終端装置自体の信頼性、作業効率および作業信頼性の向上につながる。
【００１５】
また、本発明は、本体カバーと装置本体とを、係合構造により固定することを特徴とするものであってもよい。これにより、本体カバーは容易に装置本体から脱着でき、作業効率の一層の向上につながる。
【００１６】
【発明の実施の形態】
次に、本発明の実施の形態について、図を参照して説明する。
【００１７】
図１は、本発明の一実施形態による光加入者線終端装置の外観図であり、（ａ）が正面図、（ｂ）、（ｃ）が側面図である。また、図２は図１に示す光加入者線終端装置の装置本体カバー３を外した状態での正面図である。なお、ここでは、壁掛け状態で使用することを想定し、図１（ａ）は壁に取り付けられた状態で正面に見える面を正面図として描いているが、机上設置の場合は、設置状態における上視図を意味する。また、以下の説明において、上面とは、壁に取り付けられた状態で正面図に現れる面、すなわち図１（ａ）に現れる面を意味する。図３は、図１に示す光加入者線終端装置の装置本体１と光ファイバー収納部２と装置本体カバー３の相互構成関係を示す分解斜視図である。
【００１８】
本実施形態の光加入者線終端装置は、光加入者端末の各種回路を組合せ構成しこれを内部に実装してなる装置本体１と、光ファイバーを巻付けて収納する光ファイバー収納部２と、光ファイバー収納部２を覆う装置本体カバー３とを有する。上記の各種回路は、従来技術同様、メイン基板、イーサーカード等（図示せず）から構成され、従来技術と同様、光通信のために必要な各種機能を提供する。光ファイバー収納部２は装置本体１の上面に配置され、かつ、装置本体１と光ファイバー収納部２は分離可能な構造となっている。また、光ファイバー収納部２には、２つの互いに相対する爪２１が設けられている。一方、装置本体１には、爪２１と対応する位置に装置本体１の上面との間に爪２１が挿入可能な隙間が形成されるように突起１１が設けられている。これら爪２１および突起１１で、装置本体１と光ファイバー収納部２とを固定するための係合構造が構成されている。爪２１と突起１１の詳細図を図４に示す。光ファイバー収納部２と装置本体１は、光ファイバー収納部２が装置本体１上をスライド移動し、爪２１が、突起１１と装置本体１との間に形成された隙間１２に挿入されることにより係合し、爪２１と突起１１との間に作用する摩擦力で固定される。さらに、光ファイバー収納部２を装置本体１に爪２１と突起１１により係合装着後、光ファイバー収納部２を覆うように装置本体カバー３を装着する構成となっている。装置本体カバー３には係合片３１が設けられており、装置本体１の対応する位置に設けられた係合片（図示せず）と係合することで、光ファイバー収納部２上面が装置本体カバー３で覆われることになる。
【００１９】
光加入者線終端装置設置時には、まず装置本体１を壁や机上に設置し、次にあらかじめ光通信局側から敷設される光ファイバー４を、必要に応じて、適切な余長を有する長さに調整し、端部にコネクター５ａを設置する。そして図５に示すように、光ファイバー余長部４１を、あらかじめ装置本体１と分離されている光ファイバー収納部２内部に配線する。具体的には、光ファイバー余長部４１は光ファイバー収納部２内部に設けられた余長収納スペース２２に巻きつけられ、適宜、爪２３で固定される。その後、装置本体１に、光ファイバー余長部４１が巻付け装着された光ファイバー収納部２をスライドさせつつ装着し、装置本体１に設けられたコネクター５ａと光ファイバー端部余長部４１の端部に設けられたコネクター５ｂとを接続し、最後に装置本体カバー３を光ファイバー収納部２の上面に装着する。
【００２０】
このように、本実施形態によれば、装置本体１と光ファイバー収納部２が着脱可能に設置されているため、光ファイバー収納部２を装置本体１から外した状態で光ファイバー４の配線や余長処理が可能となる。さらに光ファイバー収納部２が装置本体１の上面に設置されていることから、光加入者線終端装置据付後の保守時にも装置本体１を取外すことなく、保守作業の主たる対象である光ファイバー４の保守が可能となる。その結果、据付や保守作業が容易になり、作業効率が改善できるとともに、作業時にドライバーなどの工具が侵入する危険性が大幅に低減し、作業信頼性が向上する。
【００２１】
また、光ファイバー４の保守点検時には、装置本体カバー３を取外し、コネクター５ａ、５ｂを外し、光ファイバー装着部２をスライドさせて装置本体１より分離し、その状態で光ファイバー４の保守点検を行う。復旧時は上記の逆の作業を行えばよい。
【００２２】
さらに、装置本体１の保守点検や交換の際も、上記手順に従い装置本体１と光ファイバー収納部２を分離させた後、装置本体１の保守点検や交換を行い、その後同様の復旧作業を行えばよい。
【００２３】
なお、本発明の光加入者線終端装置は、上記実施形態に限定されるものではない。たとえば、装置本体１と光ファイバー収納部２の間の係合構造は図３に示す場所に限定されるものではなく、その設置位置は自由である。一例として爪２１を光ファイバー収納部２の外周部に、突起１１をこれに対応する位置に設けてもよい。
【００２４】
また、係合構造も上記実施形態に限定されるものではない。たとえば、図６に示すように、装置本体１の上面から爪１６を突出して設け、光ファイバー収納部２の底面からＬ型の断面を有する突起２６を突出して設け、突起２６を光ファイバー収納部２の底面と爪１６との間に形成される隙間１７に挿入して係合構造を形成してもよい。これにより、光ファイバー収納部２は装置本体１上をスライドすることで容易に装置本体１から着脱でき、作業効率や作業信頼性の向上を図ることができる。
【００２５】
さらに、図７に示すように、上記のようなスライド構造だけでなく、光ファイバー収納部２の下面に設けられた突起２８を、装置本体１の上面の対応する位置に設けられた爪１８に押し込む構造で係合構造を形成することもできる。
【００２６】
【発明の効果】
以上説明したように、本発明によれば、光加入者線終端装置の装置本体と、据付・保守の主たる作業対象である光ファイバー収納部とが完全に分離可能であり、かつ光ファイバー収納部は装置本体の上面に配置されている。このため、設置時においては、光ファイバーの配線作業を手元で行うことができ、より楽な姿勢での作業も可能になるなど、作業効率が向上する。一方、設置後の保守作業も、光ファイバー収納部を装置本体の上面に配することにより、装置本体を固定したまま、光ファイバー収納部だけを分離して行うことができ、作業効率が向上する。さらには、機能部である装置本体にドライバーなどの工具が誤って侵入する危険性が大幅に低減し、作業の信頼性が大幅に向上する。
【図面の簡単な説明】
【図１】本発明の一実施形態による光加入者線終端装置の外観図である。
【図２】図１に示した本発明の光加入者線終端装置の装置本体カバーを取外した状態の正面図である。
【図３】図１に示した本発明の光加入者線終端装置の、装置本体と、光ファイバー収納部と、装置本体カバーとの相互構成関係を示す分解斜視図である。
【図４】図３に示した本発明の光加入者線終端装置の、装置本体と光ファイバー収納部との係合部の詳細図である。
【図５】図１に示した本発明の光加入者線終端装置の、光ファイバーを設置し、かつ装置本体カバーを取外した状態の斜視図である。
【図６】本発明の光加入者線終端装置の、装置本体、光ファイバー収納部との係合部の他の実施形態の詳細図である。
【図７】本発明の光加入者線終端装置の、装置本体、光ファイバー収納部との係合部の他の実施形態の詳細図である。
【図８】従来の光加入者線終端装置の、光ファイバーを設置し、かつ装置本体カバーを取外した状態の斜視図である。
【図９】従来の光加入者線終端装置の他の例であって、光ファイバーを取外した状態を示す分解斜視図である。
【符号の説明】
１    装置本体
１１    突起
１２    隙間
１６    爪
１７    隙間
１８    爪
２    光ファイバー収納部
２１    爪
２２    余長収納スペース
２３    爪
２６    突起
２８    突起
３    装置本体カバー
３１    係合片
４    光ファイバー
４１    光ファイバー余長部
５ａ、５ｂ    コネクター
【図１】
2004333835.tif 000003
【図２】
2004333835.tif 000004
【図３】
2004333835.tif 000005
【図４】
2004333835.tif 000006
【図５】
2004333835.tif 000007
【図６】
2004333835.tif 000008
【図７】
2004333835.tif 000009
【図８】
2004333835.tif 000010
【図９】
2004333835.tif 000011